(57)【要約】【課題】  部品点数を増やすことなく、給電用のターミナルをブラシホルダーに簡単かつ確実に保持させることができるポンプ用モータを提供する。【解決手段】  ヨーク１１の底部の軸受１４とカバー１２の天井部の軸受１５でアーマチュア軸１６を回転自在に支持し、アーマチュア軸にアーマチュア２０とコンミュテータ２１を取り付け、カバー１２の円筒部１２ｄ内にブラシホルダー２２を嵌め込み、ブラシホルダー２２に出没自在に収納されたブラシ２３をコンミュテータ２１に圧接させると共に、ブラシに電源を供給する一対のターミナル１８，１９を配置したポンプ用モータにおいて、ブラシホルダー２２に一方のターミナル１８を保持する一対のターミナル保持壁２２ｊ，２２ｋを一体突出形成し、各ターミナル保持壁２２ｊ，２２ｋの相対向する内面にターミナル１８が圧入される潰しビート部２２ｑを一体突出形成した。【選択図】  図１２
2006288171.tif 000002
【特許請求の範囲】
【請求項１】
有底円筒状のヨークと、このヨークの開口部に円筒部が嵌め込まれるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接させると共に、前記ブラシに電源を供給する一対のターミナルを配置したポンプ用モータにおいて、
前記ブラシホルダーに前記一対のターミナルの少なくとも一方のターミナルの両側部を保持する一対のターミナル保持壁を一体突出形成すると共に、該一対のターミナル保持壁の相対向する内面に前記一方のターミナルの両側部が圧入される係止凸部をそれぞれ一体突出形成し、これら各係止凸部間で前記一方のターミナルを挾持するようにしたことを特徴とするポンプ用モータ。
【請求項２】
請求項１に記載のポンプ用モータであって、
前記一対のターミナルのうちの他方のターミナルに円形孔部を形成し、かつ、前記ブラシホルダーに形成されて前記アーマチュア軸が貫通する貫通孔の周りに前記他方のターミナルの円形孔部が嵌め込まれる円弧状のターミナル保持壁を一体突出形成し、この円弧状のターミナル保持壁の外周面に前記他方のターミナルの円形孔部が圧入される係止凸部を一体突出形成したことを特徴とするポンプ用モータ。
【発明の詳細な説明】
【技術分野】
【０００１】
本発明は、例えば、車両用のアンチロックブレーキシステム（ＡＢＳ）に設けられたプランジャポンプを作動させるポンプ用モータに関する。
【背景技術】
【０００２】
この種のモータに用いられるブラシ取付構造として、図２０〜図２２に示すものがある（例えば、特許文献１参照。）。このモータのギヤケース１には、図２０に示すように、環状ダンパ２及びグロメット状ダンパ３を介してホルダーベース４を固定してある。このホルダーベース４の中央には図示しないアーマチュア軸が貫通する貫通孔４ａを形成してあると共に、その両側には各一対のターミナル支持孔４ｂ，４ｂを形成してある。
【０００３】
図２０及び図２２に示すように、各一対のターミナル支持孔４ｂ，４ｂには給電用の一対のターミナル５，５の各突片５ａを貫通してあると共に、該各突片５ａの先端の二股部５ｂを外側に折り曲げてある。また、図２１に示すように、各ターミナル５の基端に起立した取付部５ｃには複数の位置決め凸部５ｄをそれぞれ形成してあり、この各位置決め凸部５ｄを導電板製で円弧状のブラシホルダー６の基部６ａに形成された各位置決め孔６ｂに挿通した後で加締め固定してある。
【０００４】
そして、図２０に示すように、一対のブラシホルダー６，６の各先端部６ｃにはブラシ７をそれぞれ取り付けてあり、この各ブラシ７を図示しないアーマチュアのコンミュテータに圧接させて電源を供給するようになっている。
【０００５】
【特許文献１】実開平２−１１０９７４号公報
【発明の開示】
【発明が解決しようとする課題】
【０００６】
しかしながら、前記従来のモータでは、ブラシホルダー６を加締め固定した給電用のターミナル５の突片５ａをホルダベース４のターミナル支持孔４ｂに貫通させた後でその二股部５ｂを外側にそれぞれ折り曲げて固定しているため、ターミナル５がホルダーベース４に対してガタ付き易かった。その結果、ターミナル５がホルダーベース４から外れるおそれがあり、この場合に、ターミナル５やブラシホルダー６がヨークを兼ねたモータケース（ハウジング）や金属製のカバーと接触して短絡等の問題が発生する。これに対処するに、ターミナル５をホルダーベース４にホルダー等の別部材を介して保持することが考えられるが、その分、部品点数が増えるためコスト高になる。
【０００７】
そこで、本発明は、前記した課題を解決すべくなされたものであり、部品点数を増やすことなく、給電用のターミナルを樹脂製のブラシホルダーに簡単かつ確実に保持させることができるポンプ用モータを提供することを目的する。
【課題を解決するための手段】
【０００８】
請求項１の発明は、有底円筒状のヨークと、このヨークの開口部に円筒部が嵌め込まれるカバーとを備え、前記ヨークの底部の中央に配置された軸受と前記カバーの天井部の中央に配置された軸受でアーマチュア軸を回転自在に支持し、このアーマチュア軸の所定位置にアーマチュア及びコンミュテータをそれぞれ取り付けると共に、該アーマチュア軸の偏心した偏心軸部にポンプ駆動用の軸受を圧入により取り付け、かつ、前記カバーの円筒部内にブラシホルダーを嵌め込み、このブラシホルダーに出没自在に収納されたブラシを前記コンミュテータに圧接させると共に、前記ブラシに電源を供給する一対のターミナルを配置したポンプ用モータにおいて、前記ブラシホルダーに前記一対のターミナルの少なくとも一方のターミナルの両側部を保持する一対のターミナル保持壁を一体突出形成すると共に、該一対のターミナル保持壁の相対向する内面に前記一方のターミナルの両側部が圧入される係止凸部をそれぞれ一体突出形成し、これら各係止凸部間で前記一方のターミナルを挾持するようにしたことを特徴とする。
【０００９】
請求項２の発明は、請求項１に記載のポンプ用モータであって、前記一対のターミナルのうちの他方のターミナルに円形孔部を形成し、かつ、前記ブラシホルダーに形成されて前記アーマチュア軸が貫通する貫通孔の周りに前記他方のターミナルの円形孔部が嵌め込まれる円弧状のターミナル保持壁を一体突出形成し、この円弧状のターミナル保持壁の外周面に前記他方のターミナルの円形孔部が圧入される係止凸部を一体突出形成したことを特徴とする。
【発明の効果】
【００１０】
以上説明したように、請求項１の発明によれば、ブラシホルダーに一対のターミナルの少なくとも一方のターミナルの両側部を保持する一対のターミナル保持壁を一体突出形成すると共に、該一対のターミナル保持壁の相対向する内面に一方のターミナルの両側部が圧入される係止凸部をそれぞれ一体突出形成し、これら各係止凸部間で一方のターミナルを挾持するようにしたことにより、ブラシホルダーの一対のターミナル保持壁の各係止凸部間で一方のターミナルの両側部を確実に保持することができる。これにより、ブラシホルダーに対する一方のターミナルの外れを経時的に防止することができ、ターミナルのヨークやカバー等の導電性部材への接触等を確実に防止することができる。また、ブラシホルダーに一対のターミナル保持壁を一体突出形成すると共に、該各ターミナル保持壁の内面に係止凸部を一体突出形成したことにより、ブラシホルダーにターミナルを保持する際にホルダー等の別部材が不要となり、その分、ターミナル保持用の部品点数の増加を抑えることができて低コスト化を図ることができる。
【００１１】
請求項２の発明によれば、一対のターミナルのうちの他方のターミナルに円形孔部を形成し、かつ、ブラシホルダーに形成されてアーマチュア軸が貫通する貫通孔の周りに他方のターミナルの円形孔部が嵌め込まれる円弧状のターミナル保持壁を一体突出形成し、この円弧状のターミナル保持壁の外周面に他方のターミナルの円形孔部が圧入される係止凸部を一体突出形成したことにより、ブラシホルダーの貫通孔の周りの円弧状のターミナル保持壁の係止凸部で他方のターミナルの円形孔部を確実に保持することができる。これにより、ブラシホルダーに対する他方のターミナルの外れを経時的に防止することができ、ターミナルのヨークやカバー等の導電性部材への接触等を確実に防止することができる。また、ブラシホルダーの貫通孔の周りに円弧状のターミナル保持壁を一体突出形成すると共に、該円弧状のターミナル保持壁の外周面に係止凸部を一体突出形成したことにより、ブラシホルダーにターミナルを保持する際にホルダー等の別部材が不要となり、その分、ターミナル保持用の部品点数の増加を抑えることができて低コスト化を図ることができる。
【発明を実施するための最良の形態】
【００１２】
以下、本発明の一実施形態を図面に基づいて説明する。
【００１３】
図１は本発明の一実施形態のポンプ用モータを示す側面図、図２は同ポンプ用モータの平面図、図３は同ポンプ用モータの底面図、図４は同ポンプ用モータのヨークとブラシホルダー及びカバーの組み付け前の状態を示す正面図、図５は同ヨークとブラシホルダー及びカバーの組み付け前の状態を示す断面図、図６は同ヨークとブラシホルダー及びカバーの組み付け後の要部の状態を示す拡大説明図、図７は同ヨークとブラシホルダーの嵌合状態を示す要部の拡大断面図、図８（ａ）は同ブラシホルダーの要部の拡大断面図、図８（ｂ）は同ブラシホルダーの要部の平面図、図９は同ブラシホルダーの平面図、図１０（ａ）は図９中符号Ａ部分の拡大平面図、図１０（ｂ）は図９中符号Ｂ部分の拡大平面図、図１０（ｃ）は図９中符号Ｃ部分の拡大平面図、図１１（ａ）は図９中符号Ｄ部分の拡大平面図、図１１（ｂ）は要部の拡大断面図、図１２は同ブラシホルダー上に一対のターミナルを保持した状態を示す平面図、図１３は同ブラシホルダーとアーマチュア軸に取り付けられたコンミュテータの関係を示す拡大断面図、図１４〜図１９は同ポンプ用モータの組立工程を順を追って示す断面図である。
【００１４】
図１〜図３及び図１９に示すように、ポンプ用モータ１０は、一端側が開口した金属製で有底円筒状のヨーク１１と、このヨーク１１の開口部１１ｅに円筒部１２ｄが嵌め込まれる金属製のカバー１２とを備えている。ヨーク１１の円筒部１１ｃの内周面１１ｄには一対のマグネット１３，１３が接着剤等を介して固着されている。そして、ヨーク１１の底部１１ａの中央の凹部１１ｂに嵌合されたボールベアリング（軸受）１４とカバー１２の天井部１２ａの中央の凹部１２ｂに嵌合されたボールベアリング（軸受）１５とでアーマチュア軸１６の基端１６ａ及び中途部１６ｂが回転自在に支持されている。
【００１５】
また、図１，図２及び図１９に示すように、カバー１２の凹部１２ｂの貫通孔１２ｃより外側に露出したアーマチュア軸１６の先端部１６ｃ側には、偏心した偏心軸部１６ｄが形成されており、この偏心軸部１６ｄにはポンプ駆動用の一対のボールベアリング（軸受）１７，１７が圧入により取り付けられている。このポンプ駆動用の各ボールベアリング１７がカムとして作用して、例えば、車両のアンチロックブレーキシステムの図示しないプランジャポンプを駆動するようになっている。
【００１６】
図１９に示すように、一対のマグネット１３，１３に対向するアーマチュア軸１６の位置には、アーマチュア２０が取り付けられている。図１４〜図１９に示すように、このアーマチュア２０は、アーマチュア軸１６に固定され、所定のスロット数のコイル巻回部２０ｂを持つアーマチュアコア２０ａとこのアーマチュアコア２０ａのコイル巻回部２０ｂに巻き回されたアーマチュアコイル２０ｃとで構成されている。
【００１７】
また、図１９に示すように、ヨーク１１の開口部１１ｅに対向するアーマチュア軸１６の位置には、コンミュテータ２１が固定されている。このコンミュテータ２１にはアーマチュアコア２０ａのコイル巻回部２０ｂと同数のコンミュテータ片２１ａを備えている。この各コンミュテータ片２１ａとアーマチュアコイル２０ｃの一端２０ｄとはコンミュテータ片２１ａに形成された爪２１ｂによりヒュージングの方法で、電気的にそれぞれ接続されている。
【００１８】
図１９に示すように、ヨーク１１の開口部１１ｅ内に嵌め込まれるカバー１２の円筒部１２ｄ内のコンミュテータ２１に対向する位置には、合成樹脂製で略円板状のブラシホルダー２２を嵌め込んである。図９，図１３に示すように、このブラシホルダー２２には中心より放射状に形成された複数（この実施形態では４箇所）のブラシ収容部２２ａが形成されている。この各ブラシ収容部２２ａにはブラシ２３が出没自在に収納されていて、該ブラシ２３は圧縮コイルバネ（付勢手段）２４によりコンミュテータ２１のコンミュテータ片２１ａに接触するように押圧付勢されている。また、図５，図９，図１３に示すように、ブラシホルダー２２の貫通孔２２ｂの上側開口縁２２Ｄには、コンミュテータ２１の先端面２１ｃに当接してアーマチュア軸１６の先端側軸方向の相対的な移動を規制する一対のストッパ２２ｃ，２２ｃを一体突出形成してある。図９に示すように、一対のストッパ２２ｃ，２２ｃは、先端が円弧状になって相対向する位置に矩形板状に一体突出形成されている。
【００１９】
図１２，図１３及び図１９に示すように、合成樹脂製で略円板状のブラシホルダー２２の上面２２Ａには、ブラシ２３に電源を供給する電給用の一対のターミナル１８，１９を保持してある。即ち、図９〜図１２に示すように、ブラシホルダー２２の上面２２Ａの貫通孔２２ｂを挟んで相対向する位置には、一対のターミナル１８，１９のうちの一方のターミナル１８の両側部１８ａ，１８ａを保持する長短一対のターミナル保持壁２２ｊ，２２ｋをそれぞれ一体突出形成してあると共に、それらの中間の位置には外周壁２２ｉとで一方のターミナル１８の両側部１８ａ，１８ａを保持するターミナル保持壁２２ｍを一体突出形成してある。
【００２０】
そして、各一対のターミナル保持壁２２ｊ，２２ｋの相対向する内面及びターミナル保持壁２２ｍの外周壁２２ｉに対向する内面には、一方のターミナル１８の両側部１８ａ，１８ａが圧入される潰しビード部（係止凸部）２２ｑをそれぞれ一体突出形成してあり、これら各潰しビード部２２ｑ間で平面略Ｃ字状で板状の一方のターミナル１８を挾持するようになっている。尚、一方のターミナル１８の中央部と一方の端部には下方に折り曲げられた一対の突片（取付片部）１８ｂ，１８ｂを形成してあり、この一対の突片１８ｂ，１８ｂはブラシホルダー２２に形成された一対のターミナル保持孔２２ｘ，２２ｘに圧入されている。また、図１３に示すように、一方のターミナル１８の所定位置には、ブラシ２３に接続されたピグテール線２３ａの先端を溶接等により接続してある。さらに、図１１（ｂ）に示すように、各潰しビード部２２ｑの上部にはテーパ部を形成してある。
【００２１】
また、図１２に示すように、一対のターミナル１８，１９のうちの他方のターミナル１９の中央には円形孔部１９ａを形成してある。そして、ブラシホルダー２２の上面２２Ａの貫通孔２２ｂの周りには、他方のターミナル１９の円形孔部１９ａが嵌め込まれる円弧状のターミナル保持壁２２ｎを等間隔毎に４箇所それぞれ一体突出形成してある。この各円弧状のターミナル保持壁２２ｎの外周面には他方のターミナル１９の円形孔部１９ａが圧入される潰しビード部（係止凸部）２２ｑを一体突出形成してあり、これら各円弧状のターミナル保持壁２２ｎの各潰しビード部２２ｑ間で平面略Ａ字状で板状の他方のターミナル１９を挾持するようになっている。尚、他方のターミナル１９の外側の所定位置には下方に折り曲げられた一対の突片（取付片部）１９ｂ，１９ｂを形成してあり、この一対の突片１９ｂ，１９ｂはブラシホルダー２２に形成された一対のターミナル保持孔２２ｙ，２２ｙに圧入されている。また、各潰しビード部２２ｑの上部にはテーパ部を形成してある。
【００２２】
さらに、図１，図２及び図９，図１２〜図１９に示すように、ブラシホルダー２２には円筒状の端子引き出し部２２ｄ内に露出する給電用の一対の外部端子２５，２５がインサート成形等によって埋設されている。この一対の外部端子２５，２５と一対のターミナル１８，１９及びピグテール線２３ａを介して各ブラシ２３に電流が供給されるようになっている。この電流がアーマチュア２０等に流れてアーマチュア軸１６が回転するようになっている。
【００２３】
また、図４〜図６及び図１９に示すように、ヨーク１１の円筒部１１ｃの内周面１１ｄには９０°間隔毎に略Ｖ字状のボス部１１ｆがプレスによる突き出し加工により一体突出形成されている。さらに、ブラシホルダー２２の外周面２２ｅには各ボス部１１ｆに係止される係止突起部２２ｆが突出形成されている。またカバー１２の円筒部１２ｄに各係止突起部２２ｆを収容する逆凹状の切欠き部１２ｅを形成してある。そして、図６に示すように、ブラシホルダー２２の各係止突起部２２ｆは、ヨーク１１の各ボス部１１ｆとカバー１２の各切欠き部１２ｅとで挾持されるようになっている。
【００２４】
さらに、図７〜図９，図１３に示すように、ブラシホルダー２２の外周面２２ｅの各係止突起部２２ｆの近傍には複数の突起２２ｇがそれぞれ一体形成されている。この各突起２２ｇには、ヨーク１１の円筒部１１ｃの内周面１１ｄに圧入される潰しビード部２２ｈが一体突出形成されている。
【００２５】
尚、図２，図３，図５，図１９に示すように、ヨーク１１の鍔部１１ｇには複数の取付孔１１ｈが形成されている。この各取付孔１１ｈに挿通する図示しないボルト等を介して、ポンプ用モータ１０は例えば車両のアンチロックブレーキシステムの所定の位置に締結固定されるようになっている。
【００２６】
以上実施形態のポンプ用モータ１０の組立工程を、図１４〜図１９を用いて順を追って説明する。
【００２７】
図１４に示すように、ブラシ２３を出没自在に収納した合成樹脂製のブラシホルダー２２をアーマチュア軸１６の先端部１６ｃ側から挿入する。すると、図１５に示すように、ブラシホルダー２２の貫通孔２２ｂの上側開口縁２２Ｄより貫通孔２２ｂの中心方向に相対向するように突出した一対のストッパ２２ｃ，２２ｃがコンミュテータ２１の一端面２１ｃに当接し、ブラシホルダー２２のそれ以上の挿入が阻止される。この為、ブラシホルダー２２の貫通孔２２ｂの下側開口縁２２Ｅとコンミュテータ２１のコンミュテータ片２１ａのヒュージングされた爪２１ｂとの間に所定のクリアランスｔを確実に確保することができる。またブラシホルダー２２の下面２２Ｂとアーマチュア２０のアーマチュアコイル２０ｃとの間にも所定のクリアランスｔを確保することができる。
【００２８】
次に、図１６及び図１７に示すように、カバー１２の天井部１２ａに配置された軸受１５をアーマチュア軸１６の中途部１６ｂの所定の位置まで圧入すると共に、カバー１２の円筒部１２ｄにブラシホルダー２２の外周面２２ｅを嵌合させる。このとき、カバー１２の円筒部１２ｄに形成された逆凹状の各切欠部１２ｅにブラシホルダー２２の外周面２２ｅに形成された各係止突起部２２ｆが収容される。
【００２９】
次に、図１８及び図１９に示すように、ヨーク１１の底部１１ａの中央の凹部１１ｂ内に嵌め込まれたボールベアリング１４にアーマチュア軸１６の他端である基端１６ａを圧入すると共に、該ヨーク１１の円筒部１１ｃにカバー１２の円筒部１２ｄを嵌め込む。このとき、図６に示すように、ブラシホルダー２２の各係止突起部２２ｆが、ヨーク１１の各ボス部１１ｆとカバー１２の各切欠き部１２ｅとで挾持され、ブラシホルダー２２がアーマチュア軸１６の軸方向へ移動することなく確実に位置決めされる。
【００３０】
また、ブラシホルダー２２の外周面２２ｅの各突起２２ｇより突出した各潰しビード部２２ｈがヨーク１１の円筒部１１ｃの内周面１１ｄに圧入されて潰されるため、ブラシホルダー２２がヨーク１１の円筒部１１ｃ内のラジアル方向に確実に位置決めされる。
【００３１】
その後、図１９に示すように、アーマチュア軸１６に形成した偏心軸部１６ｄに、ポンプ駆動用の一対のボールベアリング１７，１７を圧入することにより、図１〜図３に示すポンプ用モータ１０の組立が完了する。
【００３２】
このように、ブラシホルダー２２の貫通孔２２ｂの上側開口縁２２Ｄにコンミュテータ２１の先端面２１ｃに当接してアーマチュア軸１６の軸方向の移動を規制する一対のストッパ２２ｃ，２２ｃを一体突出形成したことにより、この一対のストッパ２２ｃ，２２ｃによりブラシホルダー２２の貫通孔２２ｂの下側開口縁２２Ｅとコンミュテータ２１のコンミュテータ片２１ａのヒュージングされた爪２１ｂとの間に所定のクリアランスｔを確実に確保することができる。これにより、コンミュテータ２１のコンミュテータ片２１ａのヒュージングされた爪２１ｂにブラシホルダー２２の貫通孔２２ｂの下側開口縁２２Ｅが接触することはない。その結果、ブラシホルダー２２の接触によるコンミュテータ２１のヒュージングされた爪２１ｂの浮き上がりを確実に防止することができ、コンミュテータ２１とブラシ２３の電気的接続を安定させた高精度のポンプ用モータ１０を短時間でスムーズに組み立てることができる。
【００３３】
また、図６に示すように、ヨーク１１の円筒部１１ｃの内周面１１ｄにボス部１１ｆを一体形成し、ブラシホルダー２２の外周面２２ｅにボス部１１ｆに係止される係止突起部２２ｆを一体突出形成し、かつ、カバー１２の円筒部１２ｄに係止突起部２２ｆを収容する切欠き部１２ｅを形成し、ブラシホルダー２２の各係止突起部２２ｆをヨーク１１の各ボス部１１ｆとカバー１２の各切欠き部１２ｅとで挾持するようにしたことにより、ブラシホルダー２２をヨーク１１とカバー１２との間に簡単かつ確実に保持させることができる。これにより、ヨーク１１の円筒部１１ｃの内周面１１ｄに対するブラシホルダー２２の軸方向及び周方向の移動を確実に規制してガタ付きを確実に防止することができると共に、異音の発生とブラシ２３の異常摩擦を確実に防止することができる。
【００３４】
さらに、ブラシホルダー２２の外周面２２ｅにヨーク１１の円筒部１１ｃの内周面１１ｄに圧入される潰しビード部２２ｈを複数一体突出形成したことにより、ヨーク１１の円筒部１１ｃの内周面１１ｄに対するブラシホルダー２２の周方向の移動を確実に規制してガタ付きをより確実に防止することができると共に、異音の発生とブラシ２３の異常摩擦をより確実に防止することができる。
【００３５】
また、図９，図１２に示すように、ブラシホルダー２２の上面２２Ａに、一対のターミナル１８，１９のうちの一方のターミナル１８の両側部１８ａ，１８ａを保持する各長短一対のターミナル保持壁２２ｊ，２２ｋ及びターミナル保持壁２２ｍをそれぞれ一体突出形成すると共に、該各長短一対のターミナル保持壁２２ｊ，２２ｋの相対向する内面及びターミナル保持壁２２ｍの外周壁２２ｉに対向する内面には、一方のターミナル１８の両側部１８ａ，１８ａが圧入される潰しビード部２２ｑをそれぞれ一体突出形成し、これら各潰しビード部２２ｑ，２２ｑ間で一方のターミナル１８を挾持するようにしたことにより、ブラシホルダー２２の各長短一対のターミナル保持壁２２ｊ，２２ｋ及びターミナル保持壁２２ｍの各潰しビード部２２ｑ，２２ｑ間で一方のターミナル１８の両側部１８ａ，１８ａを確実に保持することができる。これにより、ブラシホルダー２２の上面２２Ａに対する一方のターミナル１８の外れを経時的に防止することができ、一方のターミナル１８のヨーク１１やカバー１２の導電性部材への接触等を確実に防止することができる。
【００３６】
また、ブラシホルダー２２の上面２２Ａに各長短一対のターミナル保持壁２２ｊ，２２ｋ及びターミナル保持壁２２ｍをそれぞれ一体突出形成すると共に、該各ターミナル保持壁２２ｉ，２２ｋ，２２ｍの内面に潰しビード部２２ｑをそれぞれ一体突出形成したことにより、ブラシホルダー２２にターミナル１８を保持する際にホルダー等の別部材が不要となり、その分、ターミナル保持用の部品点数の増加を抑えることができて低コスト化を図ることができる。
【００３７】
さらに、図９及び図１２に示すように、一対のターミナル１８，１９のうちの他方のターミナル１９の中央に円形孔部１９ａを形成し、かつ、ブラシホルダー２２の貫通孔２２ｂの周りに他方のターミナル１９の円形孔部１９ａが嵌め込まれる円弧状のターミナル保持壁２２ｎを等間隔毎に４箇所それぞれ一体突出形成し、この各円弧状のターミナル保持壁２２ｎの外周面に他方のターミナル１９の円形孔部１９ａが圧入される潰しビード部２２ｑをそれぞれ一体突出形成したことにより、ブラシホルダー２２の貫通孔２２ｂの周りの各円弧状のターミナル保持壁２２ｎの潰しビード部２２ｑで他方のターミナル１９の円形孔部１９ａを確実に保持することができる。これにより、ブラシホルダー２２の上面２２Ａに対する他方のターミナル１８の外れを経時的に防止することができ、他方のターミナル１９のヨーク１１やカバー１２の導電性部材への接触等を確実に防止することができる。
【００３８】
また、ブラシホルダー２２の貫通孔２２ｂの周りに各円弧状のターミナル保持壁２２ｎをそれぞれ一体突出形成すると共に、該各円弧状のターミナル保持壁２２ｎの外周面に潰しビード部２２ｑをそれぞれ一体突出形成したことにより、ブラシホルダー２２の上面２２Ａに他方のターミナル１９を保持する際にホルダー等の別部材が不要となり、その分、ターミナル保持用の部品点数の増加を抑えることができて低コスト化を図ることができる。
【図面の簡単な説明】
【００３９】
【図１】本発明の一実施形態のポンプ用モータを示す側面図
【図２】上記ポンプ用モータの平面図である。
【図３】上記ポンプ用モータの底面図である。
【図４】上記ポンプ用モータのヨークとブラシホルダー及びカバーの組み付け前の状態を示す正面図である。
【図５】上記ヨークとブラシホルダー及びカバーの組み付け前の状態を示す断面図である。
【図６】上記ヨークとブラシホルダー及びカバーの組み付け後の要部の状態を示す拡大説明図ある。
【図７】上記ヨークとブラシホルダーの嵌合状態を示す要部の拡大断面図である。
【図８】（ａ）は上記ブラシブラシホルダーの要部の拡大断面図、（ｂ）は同要部の平面図である。
【図９】上記ブラシホルダーの平面図である。
【図１０】（ａ）は図９中符号Ａ部分の拡大平面図、（ｂ）は図９中符号Ｂ部分の拡大平面図、（ｃ）は図９中符号Ｃ部分の拡大平面図である。
【図１１】（ａ）は図９中符号Ｄ部分の拡大平面図、（ｂ）は要部の拡大断面図である。
【図１２】上記ブラシホルダー上に一対のターミナルを保持した状態を示す平面図である。
【図１３】上記ブラシホルダーとアーマチュア軸に取り付けられたコンミュテータの関係を示す拡大断面図である。
【図１４】上記ブラシホルダーをアーマチュア軸に挿入する前の状態を示す断面図である。
【図１５】上記ブラシホルダーをアーマチュア軸に挿入した状態を示す断面図である。
【図１６】上記ブラシホルダーにカバーを嵌合する前の状態を示す断面図である。
【図１７】上記ブラシホルダーにカバーが嵌合された状態を示す断面図である。
【図１８】上記ブラシホルダーに嵌合されたカバーをヨークに嵌合する前の状態を示す断面図である。
【図１９】上記ポンプ用モータの組立完了状態を示す断面図である。
【図２０】従来のモータに用いられるブラシホルダーとターミナルとホルダーベースの分解斜視図である。
【図２１】上記従来のホルダーベーとターミナルの取付状態を示す平面図である。
【図２２】上記従来のホルダーベースとターミナルの取付状態を示す断面図である。
【符号の説明】
【００４０】
１０  ポンプ用モータ
１１  ヨーク
１１ａ  底部
１１ｃ  円筒部
１１ｅ  開口部
１２  カバー
１２ａ  天井部
１４，１５  ボールベアリング（軸受）
１６    アーマチュア軸
１６ｄ  偏心軸部
１７  ボールベアリング（軸受）
１８，１９  一対のターミナル
１８  一方のターミナル
１８ａ，１８ａ  両側部
１９  他方のターミナル
１９ａ  円形孔部
２０  アーマチュア
２１  コンミュテータ
２２  ブラシホルダー
２２ｊ，２２ｋ  一対のターミナル保持壁
２２ｍ  ターミナル保持壁
２２ｎ  円弧状のターミナル保持壁
２２ｑ  潰しビート部（係止凸部）
２３  ブラシ
【図１】
2006288171.tif 000003
【図２】
2006288171.tif 000004
【図３】
2006288171.tif 000005
【図４】
2006288171.tif 000006
【図５】
2006288171.tif 000007
【図６】
2006288171.tif 000008
【図７】
2006288171.tif 000009
【図８】
2006288171.tif 000010
【図９】
2006288171.tif 000011
【図１０】
2006288171.tif 000012
【図１１】
2006288171.tif 000013
【図１２】
2006288171.tif 000014
【図１３】
2006288171.tif 000015
【図１４】
2006288171.tif 000016
【図１５】
2006288171.tif 000017
【図１６】
2006288171.tif 000018
【図１７】
2006288171.tif 000019
【図１８】
2006288171.tif 000020
【図１９】
2006288171.tif 000021
【図２０】
2006288171.tif 000022
【図２１】
2006288171.tif 000023
【図２２】
2006288171.tif 000024